(57)【特許請求の範囲】
【請求項１】
定盤上の所定位置に供給された印刷版を前記定盤に設けられた吸引孔及び吸引溝から空気を吸引することで前記定盤上に真空吸着させ、この状態で前記印刷版に画像を露光する印刷版自動露光装置において、
前記定盤上に載置される全ての寸法の前記印刷版が共通して塞ぐ前記定盤上の位置に、前記吸引孔及び前記吸引溝とは独立して設けられた検出孔と、
前記検出孔に連通され、前記検出孔から空気を吸引する吸引手段と、
前記検出孔に連通され、前記検出孔の真空度が前記定盤上に前記印刷版が載置されている場合に対応して設定された所定の真空度であることを検出可能な圧力センサと、
を備えたことを特徴とする印刷版自動露光装置。
【発明の詳細な説明】
【０００１】
【発明の属する技術分野】
本発明は、印刷版を定盤上の所定位置に載置して前記印刷版に画像を露光する印刷版自動露光装置に関する。
【０００２】
【従来の技術】
支持体上に感光層（例えば、光重合層）が設けられた印刷版（以下、フォトポリマー版）を用い、このフォトポリマー版の光重合層に直接レーザビーム等で画像を記録する技術が開発されてきている（印刷版自動露光装置）。
【０００３】
このような技術では、フォトポリマー版への画像記録が迅速に行われるため、次々とフォトポリマー版を送り込む必要があり、予め複数のフォトポリマー版を積層した状態で所定の位置に待機させ、自動的に１枚ずつ取り出して、定盤上に位置決めし、露光部へ送り込むようにしている。
【０００４】
ところで、従来の装置は、定盤上にフォトポリマー版が載置されているか否かを検出する手段を有しなかった。このため、定盤上にフォトポリマー版が載置されているか否かの検出結果に基づく適正な処理が行われず、例えば、フォトポリマー版が定盤上に正しく載置されなかったにも拘わらず露光工程等の次工程に進んでしまう可能性があった。また、例えば、印刷版自動露光装置の初期化時や停電復旧時などに印刷版が定盤上に載置されているにも拘わらず新たに印刷版が搬送され、印刷版の二重載置やそれに伴うピントボケ等の画像不良が発生する可能性があった。
【０００５】
【発明が解決しようとする課題】
本発明は上記事実を考慮し、定盤上に印刷版が載置されているか否かを検出し、当該検出結果に基づいて適正な処理を実施できる印刷版自動露光装置を得ることが目的である。
【０００６】
【課題を解決するための手段】
請求項１に記載の印刷版自動露光装置は、定盤上の所定位置に供給された印刷版を前記定盤に設けられた吸引孔及び吸引溝から空気を吸引することで前記定盤上に真空吸着させ、この状態で前記印刷版に画像を露光する印刷版自動露光装置において、前記定盤上に載置される全ての寸法の前記印刷版が共通して塞ぐ前記定盤上の位置に、前記吸引孔及び前記吸引溝とは独立して設けられた検出孔と、前記検出孔に連通され、前記検出孔から空気を吸引する吸引手段と、前記検出孔に連通され、前記検出孔の真空度が前記定盤上に前記印刷版が載置されている場合に対応して設定された所定の真空度であることを検出可能な圧力センサと、を備えたことを特徴としている。
【０００７】
なお、所定の真空度は、吸引手段の能力及び吸引孔と印刷版との間の空気の透過率（漏れ量）に基づいて設定されている。
【０００８】
また、請求項１に記載した圧力センサとは、真空度に対して直線的な信号を出力する圧力センサ、真空度が設定真空度以上の場合に一定の信号を出力（所謂接点のＯＮ／ＯＦＦを含む）する圧力スイッチを含むものである。
【０００９】
請求項１に記載の印刷版自動露光装置では、定盤上の所定位置に印刷版が供給され、定盤に設けられた吸引孔から空気を吸引することで印刷版を定盤上に真空吸着させこの状態で印刷版に画像が露光される。
【００１０】
さらに、この印刷版自動露光装置では、定盤には真空吸着のための吸引孔及び吸引溝とは独立して検出孔が設けられ、吸引手段及び圧力センサと連通されている。また、印刷版を定盤上に供給する際には、定盤上に印刷版が載置されているか否かを検出するために吸引手段が検出孔から空気を吸引し、圧力センサが検出孔の真空度を検出する。
【００１１】
ここで、定盤上に印刷版が載置された場合、すなわち、検出孔が印刷版によって塞がれた場合には、検出孔の真空度は所定の真空度となる。このとき、圧力センサは検出孔の真空度が所定の真空度であることを検出し、所定の信号を出力する。
【００１２】
一方、定盤上に印刷版が載置されない場合、すなわち、検出孔が印刷版によって塞がれない場合には、検出孔の真空度は前記所定の真空度より高くなることはない。このため、圧力センサは検出孔の真空度が所定の真空度であることを検出せず、前記所定の信号を出力することはない。
【００１３】
このように、請求項１記載の印刷板自動露光装置では、圧力センサの出力信号に基づいて定盤上に印刷版が載置されているか否かを検出することができる。これにより、圧力センサの検出信号に基づいて適正な処理を行う印刷版自動露光装置を得ることができる。
【００１４】
さらに、安価な圧力センサを適用できるため、低コストで上記の印刷版自動露光装置を得ることができる。
【００１５】
【発明の実施の形態】
（全体構成）
図１には、本実施の形態に係るフォトポリマー版（アルミニウム製で硬質の支持体上に感光層（例えば、光重合層）が設けられた印刷版）の印刷版自動露光装置１００が示されている。
【００１６】
印刷版自動露光装置１００は、台車２００に搭載されたフォトポリマー版１０２（図２参照）を収容する版収容部１０４及び版収容部１０４に収容されたフォトポリマー版１０２を持ち出する枚葉部１０６を備えた給版部１０８と、フォトポリマー版１０２が位置決め保持される定盤１１０と、定盤１１０に位置決めされたフォトポリマー版１０２へ画像を記録する露光部１１２と、で構成されている。
【００１７】
なお、この印刷版自動露光装置１００の下流側には、バッファ部１１４を介して印刷版自動現像装置１１６が設定可能であり、給版、露光、現像を全て自動で処理することも可能となっている。
【００１８】
図３に示される如く、版収容部１０４には、複数枚のフォトポリマー版１０２を収容するマガジン２０８が設けられた台車２００が収容可能となっている。なお、図２に示される如く、マガジン２０８に収容されるフォトポリマー版１０２の表面には、１枚毎に保護用の合紙１１８が設けられており、結果としてフォトポリマー版１０２と合紙１１８とが交互に積層された状態となっている。
【００１９】
版収容部１０４は、路面よりも高い位置に床部１０４Ａを形成しており、台車２００は、路面からこの床部１０４Ａへと乗り上げられる構造となっている。すなわち、路面に対してはキャスタ１２０を介して支持されており、このキャスタ１２０は、台車２００に対して突出位置（図３の想像線位置）及び収容位置（図３の実線位置）に移動可能となっている。
【００２０】
版収容部１０４への収容動作に応じてこのキャスタ１２０が上方にたたまれるように収容位置へ移動すると同時に補助ローラ２１２が床部１０４Ａに対応し、その後の台車２００は、床部１０４Ａに対してこの補助ローラ２１２を介して支持される構造となっている。
【００２１】
前記版収容部１０４の上方には、枚葉部１０６が設けられている。枚葉部１０６は、マガジン２０８に収容されたフォトポリマー版１０２及び合紙１１８を交互に積層状態から取り出して、給版部１０８へ送り出すようになっており、フォトポリマー版１０２及び合紙１１８を吸着する吸盤１２４を備えている。また、吸盤１２４の近傍には、吸盤１２４とは別に、合紙１１８を吸着する際の補助手段として、吸引ファン１２６が設けられている。これらの吸盤１２４及び吸引ファン１２６は一体的に積層された合紙１１８又はフォトポリマー版１０２面に対して接近、離反することが可能となっている。
【００２２】
ここで、フォトポリマー版１０２の吸着時は吸盤１２４を接触させて吸着するが、合紙１１８の吸着時には吸引ファン１２６を合紙１１８に対して若干離れた位置（接触してもよい）に配置し、吸引ファン１２６のみを作動することによって重量的に軽くかつ薄い合紙１１８のみを吸い上げ、その後、吸盤１２４によって吸着することで、合紙１１８の吸着時の二重吸着（下層のフォトポリマー版１０２をいっしょに吸着すること）を防止している。
【００２３】
給版部１０８は、大きく分けて、前記枚葉部１０６からフォトポリマー版１０２又は合紙１１８を受け取って搬送する共用搬送部１２８と、フォトポリマー版１０２を受けとって定盤１１０へ送り出すためのフォトポリマー版搬送部１３０と、合紙１１８を受けとって合紙収容箱（台車２００に搭載されている）１３２へ送り出す合紙搬送部１３４と、前記共用搬送部１２８から前記フォトポリマー版搬送部１３０又は合紙搬送部１３４の何れかへの搬送部へ切替え動作によって案内する切替搬送部１３６と、で構成されている。
【００２４】
すなわち、フォトポリマー版１０２と合紙１１８とが交互に積層されているため、枚葉部１０６において吸着する毎に、切替搬送部１３６が切替わり、それぞれの所定方向へ搬送する構造となっている。
【００２５】
ここで、図４（Ａ）に示される如く、共用搬送部１２８、フォトポリマー版搬送部１３０及び切替搬送部１３６は、串型ローラ１３８と細幅ベルト１４０とが組み合わされた搬送系となっており、上記フォトポリマー版１０２を搬送することがメインとされている（図４（Ｂ）参照）。すなわち、フォトポリマー版１０２は、串型ローラ１３８の強い挟持力で搬送され、細幅ベルト１４０は、搬送に同期して移動するガイド板としての役目を有する。
【００２６】
これに対して、合紙搬送部１３４は、図４（Ｃ）に示される如く、細幅ベルト１４０のみの搬送系となっており、合紙１１８を細幅ベルト１４０による弱い挟持力で搬送する構造となっている。
【００２７】
ここで、図５に示される如く、各搬送部での受け渡し部分は、それぞれ互い違いに先端部が串状に突出され、一方の凹又は凸の先端が他方の凸又は凹の先端に対向するように重なり合っている（同軸の共通の搬送路を持っている）。これにより、フォトポリマー版１０２及び合紙１１８の受け渡し時に、串型ローラ１３８や細幅ベルト１４０に巻き込まれるようなことが防止される。
【００２８】
図３に示される如く、合紙搬送部１３４によって搬送される合紙１１８は、台車２００に設けられた合紙収容箱１３２へ案内される。合紙収容箱１３２の上部に設けられた合紙１１８の挿入口１４２は、一対のローラ１４４が設けられており、前記合紙搬送部１３４の搬送速度よりも若干速い線速度（約１．１倍）で回転駆動している。これにより、合紙１１８が合紙搬送部１３４とこのローラ１４４との間に掛け渡されると、所定の緊張状態を維持しながら搬送されることになり、弛み等によるジャミングを防止することができる。
【００２９】
また、この挿入口１４２の手前側には、徐々に幅（合紙１１８の肉厚方向）が狭まるようなテーパー形状のガイド板１４６が設けられている。このテーパー形状とされた互いに対向するガイド板１４６には、除電ブラシ１４８がそれぞれ取り付けられ、挿入口１４２に挿入する合紙１１８の電荷を除去するようになっている。
【００３０】
前記一対のローラ１４４は串型とされ、この串型による凹凸に沿うように仕切板１５０が設けられている。これにより、合紙収容部１３４に収容された後の合紙１１８の一部がローラ１４４に接触しても、仕切板１５０によって巻き込みを防止することができる。
【００３１】
図１に示される如く、フォトポリマー版搬送部１３０によって搬送されるフォトポリマー版１０２は、水平搬送状態でフォトポリマー版搬送部１３０から離脱し、定盤１１０へ受け渡すようになっている。
【００３２】
ここで、定盤１１０の上面高さは、フォトポリマー版搬送部１３０による水平搬送高さよりも低い位置となっており、かつ搬送方向において若干の間隔を持っている。このため、フォトポリマー版搬送部１３０から排出されると、若干垂れ下がった状態で定盤１１０上に着地し、搬送方向後端部は、定盤１１０よりも手前側に位置することになる。この手前側には、定盤１１０に対して接近離反可能な移動体１５２に設けられた仮支持プレート１５４が配設されており、フォトポリマー版１０２の垂れ下がりを防止している（図６参照）。
【００３３】
図６（Ｂ）に示される如く、仮支持プレート１５４の一部には、フォトポリマー版１０２の後端部を搬送方向に押圧するための押圧プレート１５６が設けられ、この押圧プレート１５６によってフォトポリマー版１０２の後端部を押圧することで、フォトポリマー版１０２の斜行が解消されると共に、所定の搬送方向基準位置まで送り出すことができる。この基準位置は、フォトポリマー版１０２の搬送方向後端部が若干定盤１１０からはみ出した状態である。
【００３４】
この基準位置では、フォトポリマー版１０２の搬送方向後端部両角部を含む複数の位置にセンサ１５８が設けられ、このセンサ１５８でフォトポリマー版１０２の搬送方向後端部を検出することによって押圧プレート１５６の押圧を停止させている。また、このセンサ１５８はフォトポリマー版１０２の搬送幅方向の位置検出にも適用されている。すなわち、定盤１１０が搬送幅方向に移動することで、フォトポリマー版１０２の角部とセンサ１５８とを一致させ、これをフォトポリマー版１０２の初期位置として登録するようになっている。
【００３５】
また、初期位置に移動されたフォトポリマー版１０２の位置は、露光部１１２での走査露光開始位置と相対位置が決められており、この状態で定盤１１０に設けられた吸引孔１１０Ｂ及び吸引溝１１０Ａにより吸着保持される。
【００３６】
吸着保持されたフォトポリマー版１０２には、前記移動体１５２に設けられたパンチャー１６０によりパンチ孔が設けられる。
【００３７】
後に詳細に説明する如く、定盤１１０には検出孔６００及び検出溝６１４が設けられ、真空ポンプ６０２及び圧力センサ６０４と連通されている。これにより、真空ポンプ６０２による吸引時の検出孔６００の真空度と設定真空度との大小を圧力センサ６０４が検出し、当該検出結果に基づいて定盤１１０上にフォトポリマー版１０２が載置されているか否かを検出するようになっている。
【００３８】
また、定盤１１０は、フォトポリマー版搬送部１３０からのフォトポリマー版１０２を受け取る第１の位置（図１の実線位置参照）と、露光部１１２に収容される第２の位置（図１の想像線位置参照）との間を等速度で往復移動可能（位置決めのための搬送幅方向移動と共通）となっている。
【００３９】
露光部１１２には、前記定盤１１０の搬送路よりも上方に走査ユニット１６４が設けられ、画像信号応じて点灯制御されるレーザビームが主走査（定盤１１０の搬送方向と直交する方向）される構成となっている。一方、定盤１１０の往路搬送は副走査移動となり、この結果、定盤１１０上のフォトポリマー版１０２には、露光部１１２への往路搬送時に画像が露光（記録）され、復路搬送によって、元の位置に戻されることになる。なお、元の位置に戻った定盤１１０上のフォトポリマー版１０２は、吸着保持が解除される。
【００４０】
画像が記録され、元の位置に戻った定盤１１０に対応し、フォトポリマー版搬送部１３０によるフォトポリマー版１０２の搬送方向後端部側に待機していた排出機構部１６６が定盤１１０の上方を通過してフォトポリマー版１０２の搬送方向前端部へと移動する（図７（Ａ）参照）。
【００４１】
排出機構部１６６には、フォトポリマー版１０２の搬送方向後端部を載置するフック部１６６Ａが形成されており、前記定盤１１０からはみ出したフォトポリマー版１０２の後端部を移動体１５２に設けられた仮支持プレート１５４により持ち上げ（図７（Ｂ）参照）、かつ排出機構部１６６をフォトポリマー版１０２の搬送方向へ移動させることにより、フォトポリマー版１０２は、フック部１６６Ａに引っ掛けられて排出機構部１６６の移動に伴って、定盤１１０の下流側へ搬送されていく（図７（Ｃ）参照）。この下流側には、バッファ部１１４が設けられ、さらに印刷版自動現像装置１１６が設けられており、フォトポリマー版１０２は、排出機構部１６６による排出速度と印刷版自動現像装置１１６での搬送速度との差をバッファ部１１４で吸収されながら円滑に送り出されていく。
（定盤１１０等の詳細構成）
図６に示される如く、定盤１１０には、定盤１１０上の所定位置に載置されたフォトポリマー版１０２を真空吸着するための吸引孔１１０Ｂ及び吸引溝１１０Ａが設けらている。
【００４２】
また、定盤１１０には、吸引孔１１０Ｂ及び吸引溝１１０Ａとは連通しないように独立して検出孔６００が印刷版搬送方向後端部でかつ搬送幅方向中央部に設けられている。さらに、検出孔６００を中心として検出孔６００に連通し、吸引孔１１０Ｂ及び吸引溝１１０Ａとは連通しないように独立して十字型の検出溝６１４が設けられている。前記の検出孔６００及び検出溝６１４の設置位置は、フォトポリマー版１０２が定盤１１０上に載置されている場合にはフォトポリマー版１０２の寸法に拘わらずフォトポリマー版１０２によって塞がれる位置である。したがって、印刷版自動露光装置１００で処理される全ての寸法のフォトポリマー版１０２について有無検出を行うことができる。
【００４３】
検出孔６００及び吸引溝６１４は、連通路６１２を介して真空ポンプ６０２及び圧力センサ６０４と連通されている。
【００４４】
一方、連通路６１２は分岐され、分岐された連通路６１２は吸引孔１１０Ｂ及び吸引溝１１０Ａに連通されている。また、分岐した各連通路６１２の定盤１１０側には各分岐の連通を遮断するための電磁弁６０８Ａ及び電磁弁６０８Ｂが設置され、検出孔６００と吸引孔１１０Ｂの双方またはいずれか一方から吸引できるようになっている。さらに電磁弁６０８Ａ及び電磁弁６０８Ｂの定盤１１０側には吸引時に真空ポンプ６０２が塵芥を吸い込むことを防止するためにフィルタ６１０Ａ及びフィルタ６１０Ｂが設置されている。
【００４５】
ここで、圧力センサ６０４は、電磁弁６０８Ｂより真空ポンプ６０２側に設置されている。フォトポリマー版１０２の有無を検出する場合は、電磁弁６１０Ｂを閉止して真空ポンプ６０２を作動することによりフォトポリマー版１０２の寸法が小さいこと、フォトポリマー版１０２が斜行して載置されていること等の影響（吸引溝１１０Ａがフォトポリマー版１０２に塞がれていない部分から空気を吸引することにより真空度が所定の値まで上昇しないこと）を受けずに有無検出を行うことができる。
【００４６】
この圧力センサ６０４は、基準となる真空度が設定され、検出孔６００の真空度が設定された真空度である場合に一定の信号（以下、Ｙ信号）を、検出孔６００の真空度が設定された真空度未満である場合に前記信号と異なる信号（以下、Ｎ信号）を出力する。ここで、Ｙ信号及びＮ信号は、ＯＮ／ＯＦＦ信号であっても、真空度に対して直線的な信号であっても良い。
【００４７】
なお、基準となる真空度は、真空ポンプ６０２の性能及び吸引溝６１４とフォトポリマー版１０２との間の空気の透過率（漏れ量）に基づいて予め設定されている。この設定真空度はフィルタ６１０Ａによる圧力損失と比較して十分大きくとることができるため、フォトポリマー版１０２が定盤１１０上に載置されていない場合の真空度がフィルタ６１０Ａの圧力損失により変化しても影響を受けることなく、安定して定盤１１０上にフォトポリマー版１０２が載置されているか否かを検出を行うことができる。
【００４８】
次に、本実施の形態の作用を説明する。
【００４９】
以上の構成の印刷版自動露光装置１００では、フォトポリマー版１０２及び合紙１１８を交互に積層した状態で収容したマガジン２０８が台車２００に搭載され、台車ごと版収容部１０４に収容される。フォトポリマー版は、給版部１０８によりマガジン２０８から共用搬送部１２８へ受け渡され、切替搬送部１３６を介してフォトポリマー版搬送部１３０へ搬送される。一方、合紙は給版部１０８によりマガジン２０８から共用搬送部１２８へ受け渡され、切替搬送部１３６及び合紙搬送部１３４を介して合紙収容箱１３２へ案内される。
【００５０】
フォトポリマー版１０２がフォトポリマー版搬送部１３０へ搬送されると、このフォトポリマー版１０２がさらにフォトポリマー版搬送部１３０により定盤１１０上に送り込まれる。ここで、定盤１１０の上面高さはフォトポリマー版搬送部１３０による水平搬送高さよりも低い位置となっており、かつ搬送方向において若干の間隔を持っているため、フォトポリマー版１０２がフォトポリマー版搬送部１３０から送り込まれると、若干垂れ下がった状態で定盤１１０上に着地する。このとき、電磁弁６０８Ｂが閉止され真空ポンプ６０２により検出孔６００から空気が吸引されている。
【００５１】
定盤１１０上にフォトポリマー版１０２が着地すると、このフォトポリマー版１０２が検出溝６１４を塞ぐ。これにより、検出孔６００の真空度が設定真空度となり、これを圧力センサ６０４が検出しＹ信号を出力する。したがって、定盤１１０上にフォトポリマー版１０２が載置されていることが検出される。
【００５２】
定盤１１０上にフォトポリマー版１０２が載置されていることが検出されると、フォトポリマー版１０２が押圧プレート１５６によって押圧されて定盤１１０上の初期位置に載置され、また、電磁弁６０８Ｂが開放される。これにより、真空ポンプ６０２が作動されて連通路６１２を介して定盤１１０の吸引孔１１０Ｂから空気が吸引され、この吸引孔１１０Ｂ及び吸引孔１１０Ｂに連通する吸引溝１１０Ａ内が負圧状態となり、定盤１１０上に載置されたフォトポリマー版１０２が吸引孔１１０Ｂ及び吸引溝１１０Ａによって定盤１１０上に真空吸着される。これにより、フォトポリマー版１０２は定盤１１０上の初期位置に密着された状態となる。
【００５３】
さらに、フォトポリマー版１０２が定盤１１０上に密着された状態で定盤１１０が露光部１１２へ移動され、この定盤１１０上に密着されたフォトポリマー版１０２に露光部１１２によって画像が露光（記録）される。また、定盤１１０が露光部１１２から元の位置に戻った後にフォトポリマー版１０２の真空吸着が解除され、排出機構部１６６によってフォトポリマー版１０２が印刷版自動現像装置１１６へ搬送される。
【００５４】
一方、フォトポリマー版搬送部１３０により定盤１１０上に送り込まれ、定盤１１０上に着地したフォトポリマー版１０２が検出溝６１４を塞がない場合、すなわち、フォトポリマー版１０２がフォトポリマー版搬送部１３０から定盤１１０上に正しく送り込まれなかった場合は、真空ポンプ６０２によって検出孔６００から空気が吸引されても検出孔６００の真空度が設定真空度とはならず、検出孔６００の真空度が設定真空度未満であることを圧力センサ６０４が検出しＮ信号を出力する。これにより、定盤１１０上にフォトポリマー版１０２が載置されていないことが検出されると、印刷版自動露光装置１００はエラーシーケンス（異常処理工程）に進む。
【００５５】
また、印刷版自動露光装置１００の初期化時や停電復旧時においては、通常運転状態とする前にフォトポリマー版１０２が定盤１１０上に載置されているか否かを検出する。すなわち、電磁弁６０８Ｂが閉止され、真空ポンプ６０２により検出孔６００から空気が吸引される。検出孔６００の真空度が設定真空度となると、これを圧力センサ６０４が検出しＹ信号を出力する。これにより、定盤１１０上にフォトポリマー版１０２が載置されていることが検出されると、印刷版自動露光装置１００はフォトポリマー版１０２の排出工程に進む。一方、検出孔６００の真空度が設定真空度にならない場合は、設定真空度未満であることを圧力センサ６０４が検出しＮ信号を出力する。これにより、定盤１１０上にフォトポリマー版１０２が載置されていないことが検出されると、印刷版自動露光装置１００は通常運転に復帰する。
【００５６】
このように、本実施の形態に係る印刷版自動露光装置１００では、圧力センサ６０４の検出信号に基づいて定盤１１０上にフォトポリマー版１０２が載置されているか否かを検出することができ、当該検出結果に基づいて各段階に応じた適正な処理が行われる。
【００５７】
なお、前記実施の形態においては、フォトポリマー版１０２が定盤１１０上に載置されているか否かを検出する際に作動させる真空ポンプとフォトポリマー版１０２を定盤１１０上に真空吸着する際に作動させる真空ポンプとを共用して真空ポンプ６０２としたが、それぞれ別個独立に設置して適用しても良い。
【００５８】
また、電磁弁６０８Ａを省略し、検出孔６００及び検出溝６１４をフォトポリマー版１０２の定盤１１０上への真空吸着に利用しても良い。
【００５９】
【発明の効果】
以上説明した如く、本発明に係る印刷版自動露光装置は、圧力センサの出力信号に基づいて定盤上に印刷版が載置されているか否かを検出することができる。これにより、圧力センサの検出信号に基づいて適正な処理を行う印刷版自動露光装置を得ることができる。さらに、安価な圧力センサを適用できるため、低コストで上記の印刷版自動露光装置を得ることができる。
【図面の簡単な説明】
【図１】本実施の形態に係る印刷版自動露光装置の全体構成を示す斜視図である。
【図２】マガジンに積載されたフォトポリマー版及び合紙の状態を示す側面図である。
【図３】給版部の側面図である。
【図４】給版部の搬送系の一部を示す平面図である。
【図５】給版部の異なる搬送系の受け渡し部を示す斜視図である。
【図６】（Ａ）は定盤の平面図、（Ｂ）は定盤の側面及び検出孔、真空ポンプ、圧力センサ等を示す概略構成図である。
【図７】排出機構部の動作を示す側面図であり、（Ａ）は動作開始初期（Ｂ）はフォトポリマー版の持ち上げ状態、（Ｃ）は排出時である。
【符号の説明】
１００    印刷版自動露光装置
１０２    フォトポリマー版（印刷版）
１０４    版収容部
１０８    給版部
１１０    定盤
１１０Ａ  吸引溝
１１０Ｂ  吸引孔
１１２    露光部
１１８    合紙
１３０    フォトポリマー版搬送部
２０８    マガジン
６００    検出孔
６０２    真空ポンプ（吸引手段）
６０４    圧力センサ
６１２    連通路
６１４    検出溝
【図１】
0004343386.tif 000002
【図２】
0004343386.tif 000003
【図３】
0004343386.tif 000004
【図４】
0004343386.tif 000005
【図５】
0004343386.tif 000006
【図６】
0004343386.tif 000007
【図７】
0004343386.tif 000008